(57)【要約】【課題】液晶パネルの劣化状態を容易に確認できて、液晶パネルの再利用を有効に行うことのできる構造の液晶装置およびプロジェクタを提供する。【解決手段】本実施形態の液晶装置１００は、液晶パネル１０１と、液晶パネル１０１の劣化状態に係る識別情報を表示する劣化情報表示部４０とを有する。【選択図】図３
2009258405.tif 000002
【特許請求の範囲】
【請求項１】
液晶パネルと、
前記液晶パネルの劣化状態に係る識別情報を表示する劣化情報表示部と、を有することを特徴とする液晶装置。
【請求項２】
前記劣化情報表示部は耐光性の異なる複数種の材料を平面的に配置したものであることを特徴とする請求項１に記載の液晶装置。
【請求項３】
前記配置は、耐光性の高低に従って前記複数の材料が一方向に配列されたものであることを特徴とする請求項２に記載の液晶装置。
【請求項４】
前記複数種の材料は、添加剤により耐光性を異ならせたことを特徴とする請求項２又は３に記載の液晶装置。
【請求項５】
前記複数種の材料は、紫外光に対する耐性が互いに異なることを特徴とする請求項２から５のいずれか一項に記載の液晶装置。
【請求項６】
前記劣化情報表示部は、前記識別情報を記録する記録層と、該記録層への入射光量を調整する光量調整層と、を有することを特徴とする請求項１から５のいずれか一項に記載の液晶装置。
【請求項７】
前記光量調節層は、光透過率が異なることを特徴とする請求項６に記載の液晶装置。
【請求項８】
前記光量調整層は、面内の一方向において段階的に前記光透過率が変化する領域を有することを特徴とする請求項７に記載の液晶装置。
【請求項９】
前記記録層に目盛りが形成されていることを特徴とする請求項１から８のいずれか一項に記載の液晶装置。
【請求項１０】
前記劣化情報表示部は、液晶パネルを収容するフレームの前記液晶パネル近傍に配置されていることを特徴とする請求項１から９のいずれか一項に記載の液晶装置。
【請求項１１】
請求項１から１０のいずれかに記載の液晶装置を備えたことを特徴とするプロジェクタ。
【発明の詳細な説明】
【技術分野】
【０００１】
本発明は、液晶装置およびプロジェクタに関するものである。
【背景技術】
【０００２】
基板間に液晶層を封入して密閉した液晶パネルにおいては、プロジェクタなどの製品で使用される場合、長時間の使用により光源からの強い光照射によって液晶パネルの配向膜や液晶が劣化して表示画面に黒ずんだ色むらや色調の変化が生じることがある。
昨今、これらの問題に対して液晶パネルが改善されてきており、耐光性に強い長寿命の液晶パネルが製品へ投入されつつある。また、例えば特許文献１に記載されている３板式のプロジェクタのようにＲＧＢの異なる波長の光を照射して使用するような場合には、Ｂ（青）光の液晶パネルに対してＲ（赤）光やＧ（緑）光の液晶パネルは５倍以上の寿命があることが確認されており、使用時間が短いものや、光に対してダメージの少ない液晶パネルは再利用が可能である。
【特許文献１】特開２００６−３０１４９２号公報
【発明の開示】
【発明が解決しようとする課題】
【０００３】
液晶パネルは、光源からの強い光によって配向膜や液晶が劣化するが、光の波長（ＲＧＢ）や使用時間によってその劣化状態が異なる。しかしながら、使用された液晶パネルについては、外観上で使用時間や劣化状態を識別することは困難であってこれらを簡単に確認する有効な手段が見当たらない。回収された大量の液晶パネル一つ一つに対して、例えば輝度や色度の測定を行うことも考えられるが、これは非常に煩雑であり現実的ではない。
【０００４】
本発明は、上記従来技術の問題点に鑑み成されたものであって、液晶パネルの劣化状態を容易に確認できて、液晶パネルの再利用を有効に行うことのできる構造の液晶装置およびプロジェクタを提供することを目的としている。
【課題を解決するための手段】
【０００５】
本発明の液晶装置は、上記課題を解決するために、液晶パネルと、前記液晶パネルの劣化状態に係る識別情報を表示する劣化情報表示部と、を有することを特徴とする。
【０００６】
本発明の液晶装置によれば、劣化情報表示部の表示によって、液晶パネルの劣化状態を簡単且つ迅速に把握することができる。したがって、再利用可能なパネルを容易に選別することができる。
【０００７】
また、前記劣化情報表示部は耐光性の異なる複数種の材料を平面的に配置したものであることが好ましい。
このような構成によれば、耐光性の異なる複数種の材料の変化の度合によって、液晶装置の劣化の度合を視覚的に確認することができる。
【０００８】
また、前記配置は、耐光性の高低に従って前記複数の材料が一方向に配列されているものであることが好ましい。
このような構成によれば、どの材料まで変化が及んだかによって液晶装置の劣化の度合を簡単且つ適正に判断することができる。
【０００９】
また、前記複数種の材料は、添加剤により耐光性を異ならせたことが好ましい。
このような構成によれば、添加剤の配合によって耐光性を異ならせることができるので、例えば液晶装置の機種や入射する光の波長などに応じて材料の変化度合を調整することができる。このように、耐光性の異なる複数種の樹脂材料の変化の度合によって、液晶装置の劣化の度合を視覚的に確認することができる。
【００１０】
また、上記複数種の材料は、紫外光に対する耐性が互いに異なることが好ましい。
このような構成によれば、紫外光に対する耐性の低い材料から順に変色することになり、その結果、各材料の紫外光による変色具合から液晶装置の識別が可能となる。
【００１１】
また、前記劣化情報表示部は、前記識別情報を記録する記録層と、該記録層に対する入射光量を調整する光量調整層と、を有することが好ましい。
このような構成によれば、光量調整層を透過した光量に応じて識別情報が記録層に記録される。記録層を確認することによって識別情報を視覚的に判断することができる。
【００１２】
また、前記光量調節層は、光透過率が異なることが好ましい。
このような構成によれば、光量調整層を透過した光量に応じて識別情報が記録層に記録される。記録層を確認することによって識別情報を視覚的に判断することができる。光量調整層により記録層の変化度合を制御できるので、劣化情報表示部をパネルの寿命に容易に適合させることができる。
【００１３】
また、前記光量調整層は、面内の一方向において段階的に前記光透過率が変化する領域を有することが好ましい。
このような構成によれば、光量調整層の面内一方向において段階的に光透過率が変化しているので、記録層においてもこの光透過率に応じた記録がなされる。
【００１４】
また、前記記録層に目盛りが形成されていることが好ましい。
このような構成によれば、使用時間の目安が視覚的に分かるため、より適正な判断を行うことができる。
【００１５】
また、劣化情報表示部は、液晶パネルを収容するフレームの液晶パネル近傍に配置されていることが好ましい。
このような構成によれば、液晶パネルに入射する光源からの放射光が劣化情報表示部に必ず照射され、適正な判定を行うことができる。
【００１６】
本発明のプロジェクタは、先に記載の液晶装置を備えたことを特徴とする。
このような構成によれば、使用時間を管理できる液晶装置を備えているので、液晶パネルを有効に再利用することができ、低価格な製品を顧客に提供することができる。
【発明を実施するための最良の形態】
【００１７】
以下、本発明の実施形態につき、図面を参照して説明する。なお、以下の説明に用いる各図面では、各部材を認識可能な大きさとするため、各部材の縮尺を適宜変更している。
【００１８】
（第１の実施形態）
図１は、本発明の一実施形態にかかるプロジェクタの概略構成を示す。
図１に示すように、次に、本発明の電子機器の一例としてプロジェクタについて説明する。
プロジェクタＰＪ１は、本発明の液晶装置を光変調手段（液晶ライトバルブ）として用いており、Ｒ（赤）、Ｇ（緑）、Ｂ（青）の異なる色毎に透過型液晶ライトバルブを備えた３板式の間欠表示型カラー液晶プロジェクタである。
【００１９】
図１に示すように、プロジェクタＰＪ１は、光源８１０と、偏光変換光学系８７０と、ダイクロイックミラー８１３，８１４と、反射ミラー８１５，８１６，８１７と、入射レンズ８１８と、リレーレンズ８１９と、射出レンズ８２０と、液晶ライトバルブ８２２，８２３，８２４と、クロスダイクロイックプリズム８２５と、投射レンズ８２６とを備えて構成されている。
【００２０】
光源８１０は、メタルハライド等のランプ８１１とランプの光を反射するリフレクタ８１２とを含む。
【００２１】
偏光変換光学系８７０は、光源８１０から射出された光束の照度分布を均一化するためのインテグレータ光学系として、レンズ８７１及びレンズアレイ８７２、偏光ビームスプリッタアレイ８７３、偏光変換素子８７４、重畳レンズ８７５等を備えている。
【００２２】
ダイクロイックミラー８１３は、光源８１０からの白色光に含まれる赤色光を透過させるとともに、青色光と緑色光とを反射する。透過した赤色光は反射ミラー８１７で反射されて、赤色光用液晶ライトバルブ８２２に入射する。また、ダイクロイックミラー８１３で反射された緑色光は、ダイクロイックミラー８１４によって反射され、緑色光用液晶ライトバルブ８２２に入射する。さらに、ダイクロイックミラー８１３で反射された青色光は、ダイクロイックミラー８１４を透過する。青色光に対しては、長い光路による光損失を防ぐため、入射レンズ８１８、リレーレンズ８１９および射出レンズ８２０を含むリレーレンズ系からなる導光手段８２１が設けられている。この導光手段８２１を介して、青色光が青色光用液晶ライトバルブ８２４に入射する。
【００２３】
各液晶ライトバルブ８２２，８２３，８２４により変調された３つの色光は、クロスダイクロイックプリズム８２５に入射する。このクロスダイクロイックプリズム８２５は４つの直角プリズムを貼り合わせたものであり、その界面には赤光を反射する誘電体多層膜と青光を反射する誘電体多層膜とがＸ字状に形成されている。これらの誘電体多層膜により３つの色光が合成されて、カラー画像を表す光が形成される。合成された光は、投射光学系である投射レンズ８２６によってスクリーン８２７上に投影され、画像が拡大されて表示される。
【００２４】
図２は、図１に示すプロジェクタを簡略化して示す模式図である。図３（ａ）は液晶装置の概略構成を示す模式図、（ｂ）は液晶装置の構成および使用状態を拡大して示す図である。
図２に示すように、上述した液晶ライトバルブ８２２，８２３，８２４として用いられる各液晶装置１００の基本構成は同一である。
【００２５】
図２に示すように、プロジェクタＰＪ１は、スクリーン８２７に拡大投射される画像光の輝度を確保するため、光源８１０からの強い光を各液晶ライトバルブ８２２〜８２４（液晶装置１００）に照射する必要がある。その光が長時間にわたって液晶装置１００の光変調領域に入射すると強い光や熱によって液晶パネル内の液晶や配向膜（いずれも不図示）が劣化してくるが、入射する光の波長や光の照射時間によってその劣化状態が異なる。そのため、液晶パネルの再利用を目的とする場合には個々の劣化状態を把握する必要がある。
【００２６】
まず、液晶装置の構成について簡単に述べる。
図３（ａ），（ｂ）に示すように、液晶装置１００は、ＴＦＴアレイ基板１０と対向基板２０とをシール材５２を介して貼り合わせているとともに、このシール材５２によって区画された領域内に液晶層５８が封入されて液晶パネル１０１が構成されている。そして、液晶パネル１０１に接続された配線基板１８を介して各種制御信号などが入力されてくる。このような液晶パネル１０１は一対の枠状部材３１，３２内に収容されて保持されている。枠状部材３１，３２はそれぞれ平面視矩形状の枠体であって、液晶パネル１０１の表示領域Ａに対応した開口部３１ａ，３２ａをそれぞれ有している。これら枠状部材３１，３２は熱伝導率が高い材質からなることが好ましく、マグネシウム（Ｍｇ）、アルミニウム（Ａｌ）、あるいはその合金などが適用されている。
【００２７】
ここで、枠状部材３１，３２がＭｇからなる場合には、使用時間に応じて光源８１０からの光照射による変色が生じるためある程度は使用時間を推測することができた。しかしながら、近年、軽量化や加工性などの観点からＡｌを用いたものが多くなってきており、この場合には長時間を経ても変色し難いことから使用時間を推測することは略不可能であるとともに、判断基準が明確でないことから人によって判定にバラツキが出てしまっていた。また、液晶パネル１０１に入射する光の波長（光エネルギー）によっても劣化具合が異なることから、これに起因する劣化状態も識別可能なものが必要である。
【００２８】
本発明者は、液晶装置１００の個々の劣化情報を誰もが容易に識別可能で、識別のバラツキも抑えた手法を確立すべく、以下の構造を考案した。
【００２９】
（劣化情報表示部の第１実施形態）
次に、本実施形態における特徴部分について図３〜図５を用いて述べる。図４（ａ）は劣化情報表示部の概略構成を示す平面図、（ｂ）断面図、（ｃ）記録層の平面図である。また、図５は記録層の変化状態を示す平面図であって、（ａ）は初期状態、（ｂ）は使用後の状態を示す。
図３（ｂ）および図４に示すように、液晶装置１００は、液晶パネル１０１の劣化情報を確認するための劣化情報表示部４０を備えている。劣化情報表示部４０は、平面視矩形状を呈するシート状のもので、識別情報（劣化情報）を記録する記録層４１と、記録層４１の光入射側に設けられ記録層４１に入射する光量を調整する光量調整層４２とを有して構成され、光源８１０から放射される光が照射される位置に設けられている。ここでは、枠状部材３１の表面３１Ａに設けられている。
【００３０】
記録層４１は、紫外光の照射時間（光エネルギー）によって変色度合が異なる複数の領域４Ａ，４Ｂ，４Ｃ，４Ｄ，４Ｅを有しており、耐光性の異なる複数種の樹脂材料の塗膜を耐光性の高低（優劣）に従って一方向に配置してなる。領域４Ａはアクリル、領域４Ｂはウレタン、領域４Ｃはシリコン、領域４Ｄはハルス（HALS：Hindered Amine Light Stabilizer）、領域４Ｅはフッ素系の塗料であって、紫外光に対する耐性がこの順に高くなっている。つまり、アクリル系の塗料に比べてフッ素系の塗料は耐光性に優れ且つ紫外光による変色が少ないことから、この特性を利用して使用時間を管理する。
【００３１】
各領域４Ａ，４Ｂ，４Ｃ，４Ｄ，４Ｅは、もともと白色塗料であって紫外線に晒されるとその照射時間（光エネルギー）に応じて黄変してくる。各領域４Ａ〜４Ｅがそれぞれ完全に色変化するまでの時間が異なっている。照射時間が所定時間経過するとまず領域４Ａが完全に変色し、さらに所定時間が経過すると領域４Ｂが完全に変色するというように、経過時間によって領域４Ａから領域４Ｅまで順次変色していく。
【００３２】
例えば図５（ａ）に示すように、未使用時、つまり光源からの光が照射されていない初期状態においては全ての領域４Ａ〜４Ｅにおいて変色していない。そして、プロジェクタＰＪ１（図１）の使用が開始されると、図５（ｂ）に示すように、変色までの時間が短い領域４Ａから順に変色していくことになる。
このように、照射時間によって変色の度合の異なる複数の領域４Ａ〜４Ｅを設けることによって、劣化度合を段階的に判別することが可能となる。
【００３３】
なお、本実施形態では、５種類の塗料を用いたがこれに限ったものではなく、耐光性の異なる材料をさらに多く用いて判別性能の高い記録層４１を構成してもよいし、それほど高い判別性能を必要としないのであれば塗料の種類を減らして大まかに判別するような構成としてもよい。
【００３４】
光量調整層４２は、網目状構造をなすシート状のもので、記録層４１の全体を覆うようにして設けられている。この光量調整層４２は記録層４１に対して剥離可能に貼着されており、劣化状態を確認する際には、この光量調整層４２を剥離して記録層４１を露出できるようになっている。
【００３５】
光源からの光は、光量調整層４２の網目を構成する線状部４２Ａ（遮光部）において遮光される。そのため、網目を通過した光のみが記録層４１へ達することになり、その結果、図５（ｃ）に示すように、使用時間（照射時間）に応じて線状部４２Ａの網目パターンＰが記録層４１に転写される仕組みとなっている。つまり、光量調整層４２を剥離した際に、記録層４１において網目パターンＰが転写されている領域とそうでない領域が一目瞭然になり、各領域４Ａ〜４Ｅにおける変色状態をより明確に視認できる。そのため、使用時間（照射時間）を誰もが簡単且つ適正に判断できるようになる。このため、記録層４１の各領域４Ａ〜４Ｅの色度変化から液晶装置１００の使用時間（照射時間）を視覚的に把握することが可能となる。
なお、光量調整層４２の遮光部のパターンは線状でなくても良く、その他様々なパターンが適用可能である。
【００３６】
また、液晶パネル１０１の劣化状態は必ずしも使用時間（照射時間）に比例するものではなく、液晶パネル１０１に入射する光の波長（ＲＧＢ）によってそれぞれの劣化状態が異なってくる。つまり、照射される光の波長が短いものほど照射光のエネルギーが高いことから、例えば、プロジェクタＰＪ１のライトバルブに用いられる液晶装置のうちＢ（青）光が入射する液晶装置（液晶パネル）は他の色のライトバルブに比べて劣化し易い。
そこで、予め、照射される光の波長毎の液晶装置１００の劣化状態、光源からの照射時間、および劣化情報表示部４０の色度の対応を表したデータ表を予め作製しておく。そして、このデータ表と実際に検出に用いた劣化情報表示部４０における記録層４１の変色度合とを比較（照合）することによって、使用形態が一致する液晶装置１００を使用時間別に分類することができ、この分類に基づいて各液晶装置１００の劣化状態を把握することができる。
【００３７】
なお、データ表は、液晶装置の機種や使用条件等に応じて作製しておくことによって、より正確な判定を行うことができる。
【００３８】
劣化情報表示部４０は、任意の箇所に貼り付け可能なシールとされていて、別途量産しておくことが可能である。本実施形態では、液晶装置１００の枠状部材３１の表面３１Ａ（光源からの放射光が照射される面）であって配線基板１８から離れた箇所に設ける例を挙げたが、配線基板１８の近傍であっても良いし、枠状部材３２上に設けるようにしても良く、光源８１０から放射された光が照射される位置で貼り付け可能な箇所であればどこでもよい。但し、段差や傾斜のない平面上に貼り付けるものとする。
【００３９】
本実施形態のプロジェクタＰＪ１は、光源８１０から放射された光（紫外光）が照射される液晶装置１００の枠状部材３１の表面３１Ａに、紫外光の照射時間（パネル使用時間）によって変色する劣化情報表示部４０を設けているので、この劣化情報表示部４０を確認することによって劣化状態（使用時間）が視覚的に判別できるようになっている。
【００４０】
プロジェクタＰＪ１を使用（光源を点灯）すると、使用時間（光源からの光の照射時間）に応じて、劣化情報表示部４０における記録層４１の色度変化が生じる。そのため、この記録層４１の色度変化が領域４Ａ〜４Ｅのうちのどの領域にまで達しているかによって、使用時間を判別し劣化度合を把握することができる。
【００４１】
ここで、記録層４１の色度変化を調べるには、光量調整層４２を剥離して記録層４１を露出させればよい。記録層４１を露出させることにより、目視によって各領域４Ａ〜４Ｅの色度を識別可能な状態となる。紫外光に対する耐光性の異なる複数の塗料を用いることによって、照射される光の波長（エネルギー）毎に、記録層４１のどの領域まで変色したかによって使用時間による液晶装置１００のダメージを把握することが可能となる。本実施形態においては、剥離前の光量調整層４２の網目が記録層４１に転写されることから、その転写パターンＰの転写具合（色の濃淡）によって使用時間を識別し、予め用意しておいたデータ表と照合することによって各液晶装置１００の劣化状態を判断することが可能となる。
【００４２】
このような劣化情報表示部４０を液晶装置１００に設けることによって、液晶装置１００（液晶パネル１０１）の使用時間や劣化状態を誰もが容易に判別することが可能となる。そのため、回収した使用済み液晶装置１００を個別に劣化測定を行うなどの作業は不要で、簡単且つ短時間で液晶装置１００の使用時間（劣化状態）を確認でき、再利用可能なものとそうでないものとを迅速に分類することができる。したがって、再利用を目的として回収された液晶装置１００のうち、再利用可能なものを適正に選び出すことができ、液晶装置１００（液晶パネル１０１）の再利用を有効に行うことができる。
【００４３】
また、劣化情報表示部４０を液晶装置１００に設けるだけでよいことから、従来の液晶装置の構成を変更することなく、識別機能を備えた構成とすることができる。
【００４４】
以上のようなことから、液晶パネル１０１の劣化状態によって再利用の判断ができるため、液晶パネル１０１の無駄な破棄を防止して環境への貢献も可能となる。加えて、液晶パネル１０１を再利用することでコストを削減できるので顧客への低価格商品の提供が可能になる。
【００４５】
（劣化情報表示部の第２の実施形態）
図６は、第２の実施形態の劣化情報表示部の概略構成を示す図であって、（ａ）平面図、（ｂ）断面図、（ｃ）は記録層の平面図である。
図６（ａ）〜（ｃ）に示すように、本実施形態の劣化情報表示部６０は、耐光性の異なる領域６Ａ〜６Ｅを有した記録層６１を有しており、記録層６１上に積層され且つ記録層６１に入射する光量を調整する光量調整層６２には上記第１実施形態の光量調整層４２と同様の構成のものが用いられる。
【００４６】
記録層６１における各領域６Ａ〜６Ｅは、同一の塗料にＵＶ吸収剤や耐ＵＶ強化剤を配合してなるもので、その添加剤の割合を変えることによって耐光性を異ならせてある。ＵＶ吸収剤やＵＶ強化剤を配合することによってＵＶを吸収して塗膜にＵＶが作用しないようにし、その添加割合によって耐光性を互いに異ならせた領域６Ａ〜６Ｅを有した記録層６１とした。具体的には、図６（ｃ）に示すように、各領域６Ａ〜６Ｅにおける添加物の配合割合は、領域６Ａは配合なし、６Ｂは１％配合、６Ｃは３％配合、６Ｄは５％配合、６Ｅは７％配合されており、配合割合が高くなるに従って耐光性も高まっている。
【００４７】
このような記録層６１とすることで、上記実施形態同様の作用が得られる。つまり、光源からの光が照射されていない初期状態においては全ての領域６Ａ〜６Ｅにおいて変色しないが、プロジェクタＰＪ１の使用が開始されると、耐光性の低い領域６Ａ側から順に変色していくようになる。
したがって、記録層６１の各領域６Ａ〜６Ｅにおける色変化によって、液晶装置１００（液晶パネル１０１）の使用時間および劣化度合を判別することが可能である。
【００４８】
（劣化情報表示部の第３の実施形態）
図７は、第３の実施形態の劣化情報表示部の概略構成を示す図であって、（ａ）平面図、（ｂ）断面図、（ｃ）は記録層の平面図である。また、図８は記録層の変化状態を示す平面図であって、（ａ）は初期状態、（ｂ）は使用後の状態を示す。
【００４９】
本実施形態の劣化情報表示部７０は、図７（ａ）〜（ｃ）に示すように、１種類の材料からなり識別情報を記録する記録層７１と、記録層７１の光入射側に設けられ面内の一方向において段階的に光透過率が変化する領域を有した光量調整層７２とから構成され、記録層７１に対して光量調整層７２が剥離可能に設けられている。光量調整層７２は、ＮＤ（減光）フィルタからなっており、長手方向一端側から他端側にかけて透過率が段階的に変化している。そのため、光量調整層７２の下層に存在する記録層７１は、光量調整層７２を透過した透過光量に応じて変色する。
記録層７１の色度変化を確認する際に、光量調整層７２を剥離して記録層７１を露出させることは上記実施形態と同様である。
【００５０】
例えば図８（ａ）に示すように、未使用時、つまり光源からの光が照射されていない初期状態においては全く変色していないが、プロジェクタＰＪ１の使用が開始されると、記録層７１は図８（ｂ）に示すように、光量調整層７２の透過率の高い領域（透過光量の多い領域）に対応する側から順に変色していくことになる。
【００５１】
本実施形態では、記録層７１は領域毎に区画されていない。そこで、記録層７１における変色度合の判定を容易にするために、図９に示すように、単位時間ごとにメモリを設けておくことが望ましい。事前の実績値から、変色度合に対応した時間表示を行うことで、時間毎に液晶装置１００の劣化度合を判別することができる。また、本実施形態においても、照射時間と、照射される光の波長毎の液晶装置１００の劣化状態との対応を表したデータ表を予め作製しておき、このデータ表と実際に検出に用いた劣化情報表示部７０における記録層７１の変色度合とを比較（照合）することによって、液晶装置１００を使用時間別に分類することができ、この分類に基づいて液晶装置１００の劣化状態を把握することができる。
【００５２】
本実施形態の構成によれば、記録層７１が一つの材料から構成されているため、耐光性の異なる複数種の材料を塗り分ける作業が不要になり、工程数が削減されて製造が簡単になる。
また、ＮＤフィルタからなる光量調整層７２が網目などのパターン付の構成とされていてもよい。これにより、光量調整層７２のパターンが記録層７１に転写されることになるので、記録層７１の面内における変色状態を容易に確認できるようになる。
また、上記実施形態においては、記録層７１に時間表示を行うのではなく、劣化度合を段階的に示す表示を行うようにしてもよい。
【００５３】
（劣化情報表示部の第４の実施形態）
図１０は、第４の実施形態の劣化情報表示部の概略構成を示す図であって、（ａ）平面図、（ｂ）断面図、（ｃ）は記録層の平面図である。
耐光性の異なる５つの領域（８Ａ：アクリル、８Ｂ：ウレタン、８Ｃ：シリコン、８Ｄ：ハルス、８Ｅ：フッ素系の材料）からなる記録層８１と、第１の実施形態と同様、網目構造をなす光量調整層８２とから構成され、記録層８１に対して光量調整層８２が剥離可能に設けられている。
【００５４】
本実施形態では、記録層８１の各領域を構成する材料にＵＶ吸収剤あるいは耐ＵＶ強化剤を配合してなるもので、各領域の面内位置方向においてその添加割合が変化している。
【００５５】
このような構成とすれば、材料の種類を増やすことなく各領域ごとに色変化に階調を出すことができるようになるため、より細かい段階でパネル劣化状態を判定することができる。
【００５６】
以上、添付図面を参照しながら本発明に係る好適な実施形態について説明したが、本発明は係る例に限定されないことは言うまでもなく、上記各実施形態を組み合わせても良い。当業者であれば、特許請求の範囲に記載された技術的思想の範疇内において、各種の変更例または修正例に想到し得ることは明らかであり、それらについても当然に本発明の技術的範囲に属するものと了解される。
【００５７】
例えば、液晶装置１００に設ける劣化情報表示部は一つだけでなく、複数設けてそれぞれの平均から劣化状態を判定するようにしても良い。
また、劣化情報表示部の大きさや形状は上記実施形態に限ったものではなく、円形や正方形などであってもよい。例えば図１１に示すように、耐光性の異なる各領域９Ａ〜９Ｅが耐光性の高低に従って面内一方向に配列されていれば記録層９１が如何なる形状であってもよい。
【図面の簡単な説明】
【００５８】
【図１】本発明の一実施形態にかかるプロジェクタの概略構成を示す説明図。
【図２】図１に示すプロジェクタの概略構成を簡略化して示す模式図。
【図３】（ａ）液晶装置の概略構成を示す模式図、（ｂ）液晶装置の構成および使用状態を拡大して示す説明図。
【図４】図４（ａ）は劣化情報表示部の概略構成を示す平面図、（ｂ）断面図、（ｃ）記録層の平面図。
【図５】第１実施形態の記録層の変化状態を示す平面図であって、（ａ）は初期状態、（ｂ）は使用後の状態を示す説明図。
【図６】第２の実施形態の劣化情報表示部の概略構成を示す図であって、（ａ）平面図、（ｂ）断面図、（ｃ）は記録層の平面図。
【図７】第３の実施形態の劣化情報表示部の概略構成を示す図であって、（ａ）平面図、（ｂ）断面図、（ｃ）は記録層の平面図。
【図８】第３実施形態の記録層の変化状態を示す平面図であって、（ａ）は初期状態、（ｂ）は使用後の状態を示す説明図。
【図９】使用時間の目安を示す記録層の平面図。
【図１０】第４の実施形態の劣化情報表示部の概略構成を示す図であって、（ａ）平面図、（ｂ）断面図、（ｃ）は記録層の平面図。
【図１１】記録層の変形例を示す平面図。
【符号の説明】
【００５９】
１００…液晶装置、１０１…液晶パネル、４０，６０，７０，８０…劣化情報表示部、４１，６１，７１，８１，９１…記録層、４２，６２，７２，８２…光量調整層、ＰＪ１…プロジェクタ
【図１】
2009258405.tif 000003
【図２】
2009258405.tif 000004
【図３】
2009258405.tif 000005
【図４】
2009258405.tif 000006
【図５】
2009258405.tif 000007
【図６】
2009258405.tif 000008
【図７】
2009258405.tif 000009
【図８】
2009258405.tif 000010
【図９】
2009258405.tif 000011
【図１０】
2009258405.tif 000012
【図１１】
2009258405.tif 000013